(57)【要約】【課題】水密性能が高く、また外観が良好な独立構造体の提供。【解決手段】簡易建物２と、独立フレーム４と、カバー材５とを備えた独立構造体１とする。独立フレーム４は建物外壁３と簡易建物２との間に建物外壁３に沿い、建物外壁３から間隔を取って立設される。簡易建物２は、独立フレーム４の建物外壁３と反対側の面に取り付けられる。そして、カバー材５は、簡易建物２の独立フレーム４側に取り付けられると共に、独立フレーム４を覆いその後端を建物外壁に圧接させる。【選択図】図３
2018016992.tif 000002
【特許請求の範囲】
【請求項１】
簡易建物と、独立フレームと、カバー材とを備え、
独立フレームは建物外壁と簡易建物との間に、建物外壁に沿い建物外壁から間隔を取って立設されており、
簡易建物は独立フレームの建物外壁と反対側の面に取り付けてあり、
カバー材は、一端が簡易建物の独立フレーム側に取り付けられ、他端が建物外壁に圧接されて独立フレームを覆っている、
ことを特徴とした独立構造体。
【発明の詳細な説明】
【技術分野】
【０００１】
建物外壁から独立させて構築するサンルームなどの簡易建物を備えた構造体（独立構造体）に関する。
【背景技術】
【０００２】
特許文献１の「増築構造物支持構造」（独立構造体に相当）では、建物外壁から５〜１５ｍｍ離れた位置にコ字形をした鳥居部材を自立させ、鳥居部材の建物に対面する面と反対側の面に増築構造物を支持させている。
この構造は、鳥居部材を建物外壁の代わりにすることで建物外壁を穿孔することなく、テラスやガーデンルーム、サンルームなど（簡易建物に相当）を頑丈に取り付けることができる。
【先行技術文献】
【特許文献】
【０００３】
【特許文献１】特許第５６０３９２０号公報
【発明の概要】
【発明が解決しようとする課題】
【０００４】
しかしながら、従来の独立構造体では、コ字状枠体と建物外壁との間に隙間があるため、この隙間から漏水するおそれがあった。
この発明は、コ字状枠体と建物外壁との隙間から漏水することがなく、水密性能が高い独立構造体の提供を課題とする。
【課題を解決するための手段】
【０００５】
簡易建物と、独立フレームと、カバー材とを備えた独立構造体とする。
独立フレームは建物外壁と簡易建物との間に建物外壁に沿い、建物外壁から間隔を取って立設される。
簡易建物は、独立フレームの建物外壁と反対側の面に取り付けられる。
そして、カバー材は、一端が簡易建物の独立フレーム側に取り付けられると共に、他端が建物外壁に圧接されており、独立フレームを覆った状態とする。
【発明の効果】
【０００６】
簡易建物は独立フレームに取り付けられるので、建物外壁にねじ孔などの損傷が生じない。
カバー材は独立フレームを覆って、簡易建物の独立フレーム側と建物外壁間に取り付けられるので、独立フレームと建物外壁間から漏水したり、独立フレームが外部に露出して独立構造体の外観を損ねてしまったりすることがない。
【図面の簡単な説明】
【０００７】
【図１】独立構造体の斜視図（実施例１）。
【図２】分解して示す独立構造体の斜視図。
【図３】図１のＡ−Ａ線に沿った断面による側面図。
【図４】図１のＢ−Ｂ線に沿った断面による平面図。
【図５】独立構造体の斜視図（実施例２）。
【発明を実施するための形態】
【０００８】
図１、２は実施例１の独立構造体１であってサンルームを構成している。
独立構造体１は、簡易建物２と、簡易建物２と建物外壁３との間に立設した独立フレーム４およびカバー材５とを備える。
簡易建物２はこの実施例においてサンルームであり、建物外壁３に沿って設けられている。簡易建物２は２本の躯体方立６ａ，６ｂ、２本の柱７ａ，７ｂと垂木掛け８と桁９、腕木１０ａ，１０ｂ、および妻桁１１ａ，１１ｂ、前桁１１ｃおよび根太掛け１１ｄを備え、前面１２、両側面１３ａ，１３ｂにサッシを取り付け、上面を前後左右の垂木１６を組んだ屋根１４としている。これらのサッシや屋根１４にガラス板やアクリル板を装着して外界と区画された室内を構成している。妻桁１１ａ，１１ｂ、前桁１１ｃおよび根太掛け１１ｄには簡易建物２側の床（図示していない）が取り付けられ、建物外壁３との間が気密に構成される。
簡易建物２の後面は開放されていて建物外壁３と対向し、また、建物外壁３の開口１５に通じている。すなわち、開口１５は簡易建物２の室内と建物の室内とを通じている。
【０００９】
独立フレーム４は、この実施例において、中空の形材をコ字状枠体に組んだものであり、左右の縦材１７ａ，１７ｂとこれらの頂部をボルト１８で結合した横材１９とからなる（図３）。断面形態は種々考えられるが、少なくとも、簡易建物２における左右の躯体方立６ａ，６ｂと垂木掛け８の後面に接する部分と建物外壁３の前面に対向する部分とを有する頑丈な構造とする。
独立フレーム４は、左右の躯体方立６ａ，６ｂの基部を基礎ブロック２０ａ，２０ｂに固定し、建物外壁３との対向面が建物外壁３と平行に、建物外壁３の前面と５０〜８０ｍｍ程度の間隔を取って位置するように設置される。
カバー材５は左右の縦カバー材２１ａ，２１ｂとこれらの上部に取り付けられる上カバー材２１ｃとで構成され、これらでコ字状枠体である独立フレーム４の外周面をすっぽりと覆う。
【００１０】
左右の縦カバー材２１ａ，２１ｂは、長さ方向において断面が同じであり、断面において（図４）中空の側面部２２とその前部の回込み係合部２３および側面部２２の後部に設けた取付け溝２４に取り付けた側部パッキン２５とからなる。パッキン２５以外は耐候性のある合成樹脂あるいはアルミ合金を素材とした押出し成形材である。また、パッキン２５は、この実施例において耐候性の高い合成ゴム製で両端が閉鎖された中空の蛇腹状とされている。
回込み係合部２３は、側面部２２の前端から独立フレーム４の縦材１７ａ，１７ｂの前面側へ回込み、その先端が簡易建物２の建物外壁側である躯体方立６ａの側面に圧接する格好で、側方（左右方向）および前方に関して移動できないように係合される部分である。
【００１１】
回込み係合部２３をこの実施例についてさらに具体的に述べると、左側では、図４〔ロ〕に示すように、回込み係合部２３が斜面部２６と左縦材１７ａの前面と平行な平行部２７とからなり、平行部２７の先端部の後面側へ屈曲させて引掛け部２８と掛止め部２９を設けている。
引掛け部２８は左方へコ字形に屈曲された部分であり、躯体方立６ａと一体に構成される受け部３０に設けた右突片３１に係合するものであり、掛止め部２９は左方へ屈曲された後、元位置へ戻ることにより左突片３２に係合する部分である。
以上、左側の回込み部係合部２３について説明したが右側の回込み係合部２３においても同様である。
【００１２】
上カバー材２１ｃは、長さ方向において断面が同じであり、断面において（図３）、天板部３３、水切り部３４、取付け部３５および上部パッキン３６とからなる。パッキン３６以外は耐候性のある合成樹脂あるいはアルミ合金を素材とした押出し成形材である。
天板部３３は前方へ向けてゆるく傾斜しており、その前縁に水切り部３４がほぼ垂直に連続して形成され、さらに、水切り部３４の前縁部が前方へ屈曲されて取付け部３５とされている。天板部３３の後縁は取付け溝３７に形成されてこの溝に上部パッキン３６の基部が取り付けられている。パッキン３６もまた、この実施例において耐候性の高い合成ゴム製であり両端が閉鎖された中空の蛇腹状とされている。
図３，４において符号３８はこの実施例において用いているライナーであり、硬質発泡樹脂のような断熱材で構成されている。
【００１３】
独立構造体１は次のように構築される。
建物外壁３に沿って独立フレーム４を構築する。
簡易建物２を独立フレーム４の建物外壁３と反対側の面に適宜ビスなどによって取り付ける。
左縦カバー材２１ａを独立フレーム４の左側に配置して平行部２７を左縦材１７ａの左側面に間隔を取って沿わせる（図４〔イ〕）。左縦カバー材２１ａの一端である回込み係合部２３は左縦材１７ａの前面側へ回り込んだ状態となる。
【００１４】
回込み係合部２３先端の引掛け部２８を左の躯体方立６ａの受け部３０における右突片３１に係合し、ついで、回込み係合部２３を建物外壁３の側へ（後方へ）押し込む。すると、掛止め部２９が受け部３０の左突片３２に係合すると共に側部パッキン２５が押し縮められその状態で左縦カバー材２１ａが独立フレーム４の左側に取り付けられる。
すなわち、左縦カバー材２１ａは、一端が簡易建物２の独立フレーム４側に取り付けられ、他端が建物外壁３に圧接され、かつ、独立フレーム４を覆って取り付けられる。
右縦カバー材２１ｂについても同様にして独立フレーム４の右側に取り付けられる。
この場合、左右の縦カバー材２１ａ，２１ｂと独立フレーム４の左右縦材１７ａ，１７ｂとの間には間隔ａを、回込み部２３と左右の縦材１７ａ，１７ｂとの間に間隔ｂを設ける。カバー材２１ａ，２１ｂが長尺なためにたわむなどしてこの空間を維持しにくいときは実施例のように、左右の縦カバー材２１ａ，２１ｂと左右の縦材１７ａ，１７ｂとの間にライナー３３を用いて間隔を維持する。
【００１５】
上カバー材２１ｃは左右の縦カバー材２１ａ，２１ｂの上端部に掛け渡して配置される（図３）。上カバー材２１をまず、一端である前縁の取付け部３５が垂木掛け８の上方、水切り部３４が横材１９の前方、天板部３３が横材１９の上方、他端である上部パッキン３６の後端が建物外壁３に軽く当っている状態であって、天板部３３と横材１９の上面との間に間隔ｂをとり、水切り部３４と横材１９との間に間隔ｃを取って配置する。上カバー材２１ｃが長尺のためにたわむなどして間隔ｂ，ｃを確保するのが困難な場合は、適宜ライナー３８を用いる。
ついで、上カバー材２１ｃを後方へ（建物外壁３側へ）押圧した状態で、前縁の取付け部３５を垂木掛け８の上面へねじ３９で固定する。上カバー材２１ｃは、後方のパッキン３６が圧縮された状態で建物外壁３に圧接して取り付けられる。
【００１６】
すなわち、カバー材５は一端である前縁を、簡易建物２の独立フレーム４側である左右の縦材１７ａ，１７ｂと垂木掛け８に取り付けられると共に、独立フレーム４を覆い、その他端である後縁を建物外壁３に圧接させてある。この際、独立フレーム４とカバー材５との間に間隔ａ〜ｃが確保されている。また、左右の縦カバー材２１ａ，２１ｂの上端と上カバー材２１ｃとの突当て箇所とか、カバー材５の後縁と建物外壁３との圧接箇所とかにはシーリングを施すことがある。
【００１７】
この独立構造体１は、カバー材５によって独立フレーム４が覆われるので、独立フレーム４と建物外壁間３から漏水したり、独立フレーム４が外部に露出して独立構造体１の外観を損ねてしまったりすることがない。
また、カバー材５により独立フレーム４が覆われるので、飛来物で独立フレーム４が損傷してしまう恐れがない。
さらに、独立フレーム４が外部に露出せず、かつ、独立フレーム４とカバー材５との間には間隔ａ〜ｃが存在するので、これらの間隔による空間の断熱効果があり、冬季や夏季に独立フレーム４を通じた伝熱効果のために簡易建物２内部の温熱環境が良好に維持される。
なお、建物外壁３と簡易建物２とは建物外壁３に設けた開口１５の下辺の箇所で簡易建物２の床と建物側の床とが接続される。
【００１８】
独立構造体１における独立フレーム４は、コ字状枠体に限らず、図５に示す実施例２のようにロ字状枠体とすることもある。図５において独立構造体１ａの独立フレーム４ａは、左右の縦材１７ａ，１７ｂの下部間に下横材１９ａを備えたロ字状枠体となっている。
他の構造は実施例１と変わらないので、同じ部品、箇所に同じ符号を付して詳細な説明を省略する。
【００１９】
以上、実施例について説明した。
パッキン２５，３６の形態は実施例のように中空の蛇腹状に限定されない。
パッキン２５，３６の外壁３と接する後端は建物外壁３の細かな凹凸に対応して変形し、建物外壁３に密着できるものが好ましい。
左右の縦カバー材２１ａ，２１ｂの回込み係合部２３と躯体方立６ａ，６ｂとの係合構造は、後方への押込み状態を維持して固定できる構造であればよく、ねじ止め構造も含まれる。
【符号の説明】
【００２０】
１  独立構造体（実施例１）
１ａ  独立構造体（実施例２）
２  簡易建物
３  建物外壁
４  独立フレーム
４ａ  独立フレーム（実施例２）
５  カバー材
６ａ，６ｂ  躯体方立
７ａ，７ｂ  柱
８  垂木掛け
９  桁
１０ａ，１０ｂ  腕木
１１ａ，１１ｂ  妻桁
１１ｃ  前桁
１１ｄ  根太掛け
１２  前面
１３ａ  左側面
１３ｂ  右側面
１４  屋根
１５  開口
１６  垂木
１７ａ  左縦材
１７ｂ  右縦材
１８  ボルト
１９  横材
１９ａ  下横材
２０ａ，２０ｂ  基礎ブロック
２１ａ  左縦カバー材
２１ｂ  右縦カバー材
２１ｃ  上カバー材
２２  側面部
２３  回込み係合部
２４  取付け溝
２５  側部パッキン
２６  斜面部
２７  平行部
２８  引掛け部
２９  掛止め部
３０  受け部
３１  右突片
３２  左突片
３３  天板部
３４  水切り部
３５  取付け部
３６  上部パッキン
３７  取付け溝
３８  ライナー
３９  ねじ
【図１】
2018016992.tif 000003
【図２】
2018016992.tif 000004
【図３】
2018016992.tif 000005
【図４】
2018016992.tif 000006
【図５】
2018016992.tif 000007